(57)【特許請求の範囲】
【請求項１】
後枠部に、ヒンジによって回動可能に結合された前枠部が錠機構によって施錠され、前記前枠部の裏面側に遊技盤がセットされる合成樹脂製のベース枠が設けられ、前記前枠部の裏面の前記ベース枠の側方に前記錠機構が設けられたパチンコ機であって、
前記ベース枠の側枠部には、前記錠機構の固定板の取付位置を、その固定板の上下のコーナー部で指定する上下の両位置決め部が一体状に突出形成され、
前記上下の両位置決め部は、前記固定板の上下のコーナー部の縦方向の取付位置を指定する水平な縦方向決め面と、前記固定板の上下のコーナー部の横方向の取付位置を指定する垂直な横方向決め面とを有してＬ形状に形成され、
前記固定板を前記前枠部の裏面に取り付ける際、当該固定板の上下の両コーナー部を前記上下の両位置決め部の縦方向決め面と横方向決め面によってそれぞれ位置決めした状態で且つ当該固定板のベース枠寄りの垂直辺と前記ベース枠の側枠部の外側辺との間に所定の間隔を空けて前記前枠部の裏面に前記固定板を取り付ける構成にしてあることを特徴とするパチンコ機。
【請求項２】
請求項１記載のパチンコ機であって、
ベース枠は、互いに嵌め合わされた内外嵌め合い部を介して分離可能に結合された第１部材と第２部材とによって形成され、
前記第１部材には前記錠機構の固定板の上コーナー部の取付け位置を指定する上位置決め部が一体状に形成され、
前記第２部材には前記固定板の下コーナー部の取付け位置を指定する下位置決め部が一体状に形成されていることを特徴とするパチンコ機。
【発明の詳細な説明】
【０００１】
【産業上の利用分野】
この発明はパチンコ機に関し、とくに、遊技盤がセットされるベース枠およびベース枠に関連する部位の構造に関する。
【０００２】
【従来の技術】
パチンコ機の木枠にはその前枠部を後枠部に施錠する錠機構が取付けられ、また、前枠部の裏面に取付けられるベース枠には遊技球が通過する球通路や賞品球が通過する球通路を有し、遊技盤の後側に設置される裏枠が組付けられる。
【０００３】
【発明が解決しようとする課題】
本発明はパチンコ機において、ベース枠がもつ機能を高めることを課題とするものである。
【０００４】
【課題を解決するための手段】
請求項１のパチンコ機は、後枠部に、ヒンジによって回動可能に結合された前枠部が錠機構によって施錠され、前記前枠部の裏面側に遊技盤がセットされる合成樹脂製のベース枠が設けられ、前記前枠部の裏面の前記ベース枠の側方に前記錠機構が設けられたパチンコ機であって、
前記ベース枠の側枠部には、前記錠機構の固定板の取付位置を、その固定板の上下のコーナー部で指定する上下の両位置決め部が一体状に突出形成され、
前記上下の両位置決め部は、前記固定板の上下のコーナー部の縦方向の取付位置を指定する水平な縦方向決め面と、前記固定板の上下のコーナー部の横方向の取付位置を指定する垂直な横方向決め面とを有してＬ形状に形成され、
前記固定板を前記前枠部の裏面に取り付ける際、同固定板の上下の両コーナー部を前記上下の両位置決め部の縦方向決め面と横方向決め面によってそれぞれ位置決めした状態で且つ当該固定板のベース枠寄りの垂直辺と前記ベース枠の側枠部の外側辺との間に所定の間隔を空けて前記前枠部の裏面に前記固定板を取り付ける構成にしてあることを特徴とする。
【０００５】
請求項２のパチンコ機は、請求項１記載のパチンコ機であって、
ベース枠は、互いに嵌め合わされた内外嵌め合い部を介して分離可能に結合された第１部材と第２部材とによって形成され、
前記第１部材には前記錠機構の固定板の上コーナー部の取付け位置を指定する上位置決め部が一体状に形成され、
前記第２部材には前記固定板の下コーナー部の取付け位置を指定する下位置決め部が一体状に形成されていることを特徴とする
【０００６】
【作用】
請求項１のパチンコ機では、前枠部を後枠部に施錠する錠機構の固定板を前枠部の裏面に取り付ける際、固定板の上下の両コーナー部を、合成樹脂製のベース枠に一体状に形成された上下の両位置決め部の縦方向決め面と横方向決め面によってそれぞれ位置決めした状態で且つ当該固定板のベース枠寄りの垂直辺とベース枠の側枠部の外側辺との間に所定の間隔を空けて前枠部の裏面に固定板が取り付けられる。
【０００７】
請求項２のパチンコ機では、錠機構の固定板の上コーナー部をベース枠のうちの第１部材に形成した上位置決め部が指定する位置に合わせて設置し、錠機構の固定板の下コーナー部をベース枠のうちの第２部材に形成した下位置決め部が指定する位置に合わせて設置する。
【０００８】
【発明の効果】
請求項１によれば、合成樹脂製のベース枠に上下の両位置決め部を一体状に突出形成してあるので、ベース枠を前枠部の裏面に取付けると、錠機構の固定板の適正な取付け位置を自動的に確定することができ、錠機構の固定板を前枠部の裏面に取付ける取付け作業を簡便化して錠機構の固定板を前枠部の裏面に正確かつ能率的に取付けることができる。
【０００９】
請求項２によれば、ベース枠を第１部材と第２部材とに分離することによって、パチンコ機の組立て作業前のベース枠の保管スペ−スを縮小することができるとともに、第１部材と第２部材とを内外嵌め合い部によって結合してあるので、ベース枠の組立て作業を簡易化してベース枠の組立て形状を均整化することができ、また、ベース枠の強度を増強することができる。
【００１０】
【実施例】
次に、本発明の１実施例を図面にしたがって説明する。パチンコ機の木枠１は扁平な角筒状の後枠部１ａと、この後枠部１ａの一方の側板にヒンジを介して前方への回動可能に結合および支持された額縁状の前枠部１ｂとによって形成されている。
【００１１】
木枠１には前枠部１ｂを後方の回動端で後枠部１ａに施錠し、また、ガラス枠を窓枠に施錠する図示しない錠機構を解錠する錠機構３０が取付けられ、この錠機構３０は、前枠部１ｂの反回動支点側の側板２０の裏面に固定されて側板３０に沿って立設された縦長状の固定板３１と、この固定板３１の上下端部にそれぞれ上下方向への回動可能に結合されて中央部付近に掛合部３２ａがそれぞれ凹設されて後端部に操作部３２ｂが形成された上下１対の可動錠片３２と、この両可動錠片３２の前端にそれぞれ連結されて固定板３１に沿って立設され、スプリングで下方へ付勢されて可動錠片３２の操作部３２ｂを押し下げたときに上動する可動板３３と、後枠部１ａに両可動錠片３２にそれぞれ対向して固定されて、可動錠片３２の掛合部３２ａが掛止された上下１対の固定錠片３４と、ガラス枠を窓枠に施錠するガラス枠施錠機構の解錠レバ−を下動時に押し下げる図示しない錠板とを備えている。
【００１２】
錠機構３０はパチンコ機の裏側から可動錠片３２によって解錠操作され、パチンコ機の前側から鍵によって解錠操作される。
【００１３】
木枠１の前枠部１ｂの裏面に取付けられて後枠部１ａの内部に間隙を隔てて立設された合成樹脂製のベース枠９は上部の第１部材９ａと、下部の第２部材９ｂとが左右の結合部３７を介して分離可能に結合されて形成され、第１部材９ａおよび第２部材９ｂがそれぞれ前枠部１ｂにねじ止めされた状態で一体となる。
【００１４】
第１部材９ａの下端で両部材９ａ，９ｂの結合部３７には左右１対の角筒状の外嵌め合い部３８が形成され、第２部材９ｂの上端で両部材９ａ，９ｂの結合部３７には外嵌め合い部３８内に密嵌されるように太さが外嵌め合い部３８より縮小された左右１対の角筒状の内嵌め合い部３９が形成され、第１部材９ａおよび第２部材９ｂは各１対の外嵌め合い部３８と内嵌め合い部３９とが互いに密嵌状に嵌め込まれて嵌め込み端が内嵌め合い部３９の段差部３９ａによって規定された状態で分離可能に結合されている。
【００１５】
ベース枠９の下部には発射装置等が装着されるセット板１０が形成されるとともに、ベース枠９には遊技盤１２が内部に嵌め込まれてセットされる枠体１１がベース枠９の下端付近から上端にわたって形成され、枠体１１には上枠部１１ａおよび下枠部１１ｂと、左右の側枠部１１ｃ，１１ｄとが形成されている。
【００１６】
ベース枠９のセット板１０は第２部材９ｂの下部によって形成され、枠体１１は第２部材９ｂの上部と第１部材９ａとによって形成されている。
【００１７】
セット板１０の裏面の中央部付近には賞品球を下皿へ誘導する賞品球誘導樋２６と、ほぼ角筒状の中継基板取付け部２７とが隣接して形成されるとともに、セット板１０の裏面の中央部付近には中継基板取付け部２７の内部に設置されて賞品球誘導樋２６内での賞品球の満タン状態を検出する満タン検出スイッチ２８が取付けられている。
【００１８】
セット板１０の中継基板取付け部２７の後端には発射装置や満タン検出スイッチ２８等がリ−ド線およびコネクタを介して接続される中継基板２９が、満タン検出スイッチ２８をその後方から覆った状態で垂直状に設置され、この中継基板２９は中継基板取付け部２７および賞品球誘導樋２６によって係止されて中継基板取付け部２７の後方に設置されたカバ−３５によって覆われている。
【００１９】
中継基板２９が満タン検出スイッチ２８を覆った状態で中継基板２９が設置されているので、満タン検出スイッチ２８を中継基板２９によって保護して満タン検出スイッチ２８が誤って作動する不具合を無くすことができるとともに、満タン検出スイッチ２８を故障時に簡単に取出して交換することができ、また、満タン検出スイッチ２８と中継基板２９との接続が容易となる。
【００２０】
ベース枠９の枠体１１の内周面には遊技盤１２を前方に対して抜け止めする抜け止め部１６が方形枠状に突設され、この抜け止め部１６の下端の左右方向中央部付近にはファ−ル球通路１９が開設されている。
【００２１】
枠体１１の一方の側枠部１１ｃの裏面の上部および下端部には軸挿孔を有する軸受け片１４がそれぞれねじ止めされている。
【００２２】
枠体１１の側枠部１１ｃの上端付近には上側の軸受け片１４の若干上方で上端部を揺動支点とする左右方向への揺動可能に支持されたロック片２５が取付けられている。
【００２３】
第１部材９ａの上部で枠体１１の他方の側枠部１１ｄの外側面にはその上端付近の前端部に連接されて木枠１の前枠部１ｂの裏面に当接され、木枠１の前枠部１ｂに対する錠機構３０の固定板３１の上端部の取付け位置を指定する上位置決め部４２が一体状に突出形成され、第２部材９ｂの下部で側枠部１１ｄの外側面にはその下端の前端部に連接されて前枠部１ｂの裏面に当接され、木枠１の前枠部１ｂに対する錠機構３０の固定板３１の下端部の取付け位置を指定する下位置決め部４３が一体状に突出形成されている。
【００２４】
両位置決め部４２，４３には固定板３１の縦方向の取付け位置を指定する水平な縦方向位置決め面４２ａ，４３ａと、固定板３１の横方向の取付け位置を指定する垂直な横方向位置決め面４２ｂ，４３ｂとがそれぞれＬ形状に形成されている。
【００２５】
錠機構３０の固定板３１はその上端の内側コ−ナ部が上位置決め部４２の縦方向位置決め面４２ａおよび横方向位置決め面４２によって位置決めされ、固定板３１の下端部の内側コ−ナ部が下位置決め部４３の縦方向位置決め面４３ａおよび横方向位置決め面４３ｂによって位置決めされた状態で木枠１の前枠部１ｂの裏面に固定される。
【００２６】
ベース枠９には遊技盤１２の横幅と等しい横幅を有し、遊技盤１２の後側に設置されて賞品球が通過する球通路や遊技球が通過する球通路を有する裏枠４０が組付けられている。
【００２７】
裏枠４０の回動支点側の側面に突設された取付け片４０ａにはベース枠９の軸受け片１４の軸挿孔内に挿脱可能に嵌挿された支軸４１ａをそれぞれ有する上下１対の連結片４１が取付けられ、裏枠４０は両軸受け片１４および両連結片４１を介してベース枠９に取外し可能で前後方向への回動可能に結合されている。
【００２８】
枠体１１の前記ロック片２５を直立させた状態では裏枠４０を持上げると、上側の取付け片４１がロック片２５に突き当たって裏枠４０の上動が阻止されるので、裏枠４０の取外しが不能となり、ロック片２５を外方へ揺動させた状態では取付け片４１の上動が許容されて支軸４１ａが軸受け片１４の軸挿孔内から脱出するので、裏枠４０をベース枠９から取外すことができる。
【００２９】
第１部材９ａの上端および第２部材９ｂの上端および中央部付近で、枠体１１の上枠部１１ａと下枠部１１ｂと側枠部１１ｄとの裏面にそれぞれ一体状に凸設された各取付け座２１には枠体１１の裏面に対して垂直となるように基端部を貫通して取付け座２１にねじ込まれた止めねじ２２によってそれぞれ回動動作可能に支持された係止部材１３がそれぞれ弾性体で段付き円筒状の介座片２３を介して結合されている。
【００３０】
各係止部材１３は前方の回動端へ回動した裏枠４０を遊技盤１２の裏面１２ｂに押し付けて遊技盤１２を裏枠４０によってベース枠９に押止した状態で、裏枠４０の一部を係止し、若しくは解放する目的で設置されている。
【００３１】
各係止部材１３にはその回動中心の両側へ対称状に突出されて回動動作によって枠体１１の内側面の内外方へ出没する１対の掛止部１３ａと、回動中心を通る中心線に対して対称な曲面形状の外周面を有する回動操作用のつまみ部１３ｂとがそれぞれ形成されている。
【００３２】
各係止部材１３の両掛止部１３ａの端縁は２つの円弧状の端縁を連接した形状を有し、つまみ部１３ｂはその内部に指先を差込んで回動操作することができるように有底円筒状に形成され、各係止部材１３はその回動中心と、つまみ部１３ｂの中心とを通る中心線に対してそれぞれ対称状に成形されている。
【００３３】
各係止部材１３は一方の掛止部１３ａが裏枠４０を係止した姿勢から約１８０°反転して他方の係止部１３ａが裏枠４０を係止した姿勢となる範囲の回動動作が許容されて回動操作が木枠１の後枠部１ａによって阻害されない状態で後枠部１ａ内にそれぞれ設置されている。
【００３４】
係止部材１３は取付け座２１に弾接した介座片２３によって各回動姿勢で制止され、枠体１１の側枠部１１ｄに取付けられた係止部材１３はつまみ部１３ｂが中立位置から回動中心の上方若しくは下方へ回動したときに裏枠４０を係止し、つまみ部１３ｂが回動中心の外方の中立位置へ回動したときに裏枠４０を解放する。
【００３５】
枠体１１の上枠部１１ａおよび下枠部１１ｂに取付けられた係止部材１３はつまみ部１３ｂが中立位置から回動中心の内方若しくは外方へ回動したときに裏枠４０を係止し、つまみ部１３ｂが回動中心の上方若しくは下方の中立位置へ回動したときに裏枠４０を解放する。
【００３６】
裏枠４０の上端縁，下端縁および自由端側の側縁には係止部材１３の両掛止部１３ａが回動端で脱出可能に嵌め込まれる第１逃げ面１５ａと、この第１逃げ面１５ａに連接されてつまみ部１３ｂが回動端で脱出可能に嵌め込まれる第２逃げ面１５ｂと、第１逃げ面１５ａに連接されて係止部材１３ａが第１逃げ面１５ａ内に嵌め込まれたときに掛止部１３ａが圧接する被掛止面１５ｃと、外側へ先下り状に傾斜した状態で被掛止面４２ｃに連接されて掛止部１３ａを被掛止面１５ｃへ案内する案内面１５ｄを有する係合部１５が各係止部材１３に対向してそれぞれ形成されている。
【００３７】
遊技盤１２をベース枠９の枠体１１内に嵌め込み、裏枠４０を遊技盤１２の後側の回動端へ回動させた状態で、各固止部材１３のつまみ部１３ｂを指先によって回動操作して一方の係止部１３ａを係合部１５に係合させると、遊技盤１２が後方に対して抜け止めされてセットされた状態で裏枠４０が遊技盤１２の裏面に押し付けられて固止される。
【００３８】
本例ではベース枠９に上下位置決め部４２，４３を形成してあるので、ベース枠９を木枠１の前枠部１ｂの裏面に取付けると、錠機構３０の適正な取付け位置を自動的に確定することができ、錠機構３０を木枠１に取付ける取付け作業を簡便化して錠機構３０を木枠１に正確かつ能率的に取付けることができる。
【００３９】
また、ベース枠９を第１部材９ａと第２部材９ｂとに分離することができるので、パチンコ機の組立て作業前のベース枠９の保管スペ−スを縮小することができるとともに、第１部材９ａと第２部材９ｂとを内外嵌め合い３８，３９によって結合してあるので、ベース枠９の組立て作業を簡易化してベース枠９の組立て形状を均整化することができ、また、ベース枠９の強度を増強することができる。
【００４０】
さらに、裏枠４０を係止する係止部材１３をその中心線に対して対称状に形成してあるので、係止部材１３を中立位置から何れの方向へ回動操作しても、裏枠４０を掛止部１３ａによって係止することができるとともに、係止部材１３を小型化することができ、係止部材１３を中立位置へ回動しても、係止部材１３が木枠１の後枠部１ａによって干渉されないので、係止部材１３を中立位置へ回動して裏枠４０を解放したままの状態で組立て作業，部品の取付け作業，調整作業等を行うことができる。
【００４１】
また、係止部材１３のつまみ部１３ｂを円筒状に形成してあるので、つまみ部１３ｂ内に指先を差込んだ状態で係止部材１３を容易に回動操作することができるとともに、係止部材１３から引掛け部や飛び山し部を排除してあるので、係止部材に引掛けられて係止部材が誤って回動したり、作業が係止部材によって阻害される不具合を無くすことができる。
【図面の簡単な説明】
【図１】  本発明の１実施例を示すパチンコ機の裏面図である。
【図２】  ベース枠の裏面図である。
【図３】  錠機構付近の裏面図である。
【図４】  図７のＸ１−Ｘ１線矢視図である。
【図５】  図２のＸ２−Ｘ２線拡大断面図である。
【図６】  図２のＸ３−Ｘ３線拡大断面図である。
【図７】  図１のＸ４部の拡大裏面図である。
【図８】  図７のＸ５−Ｘ５線断面図である。
【図９】  図７のＸ６−Ｘ６線断面図である。
【符号の説明】
１  木枠
１ａ  後枠部
１ｂ  前枠部
９  ベース枠
９ａ  第１部材
９ｂ  第２部材
１２  遊技盤
１３  係止部材
１３ａ  係止部
１３ｂ  つまみ部
３０  錠機構
４０  裏枠
４２，４３  位置決め部
【図１】
0004161138.tif 000002
【図２】
0004161138.tif 000003
【図３】
0004161138.tif 000004
【図４】
0004161138.tif 000005
【図５】
0004161138.tif 000006
【図６】
0004161138.tif 000007
【図７】
0004161138.tif 000008
【図８】
0004161138.tif 000009
【図９】
0004161138.tif 000010